(57)【要約】【課題】給水行程を多段階にすることで、電力消耗を最小化する。【解決手段】洗濯コースを選択し、既に設定された水温をセッティングする段階と、布量を感知し、既に設定された水位をセッティングする段階と、洗剤を溶解させるための既に設定された中間温度に到達するように、前記冷水供給源及び前記温水供給源から洗濯水を前記タブに給水する第１給水段階と、前記第１給水段階以後に、前記水位感知部によって水位が測定されながら、前記温水供給源から既に設定された水位にまで洗濯水を給水する第２給水段階と、前記第２給水段階以後に、前記水温感知部によって水温が測定されながら、既に設定された水温にまで前記タブ内の洗濯水を温めるように前記ヒータを駆動させる段階と、前記選択された洗濯コースを行う段階と、を含んで洗濯機の給水制御方法を構成する。【選択図】図１
2008505686.tif 000002
【特許請求の範囲】
【請求項１】
冷水供給源、温水供給源、水位感知部、水温感知部、及びヒータが連結されたタブを備えた洗濯機の給水制御方法において、
洗濯コースを選択し、既に設定された水温をセッティングする段階と、
布量を感知し、既に設定された水位をセッティングする段階と、
洗剤を溶解させるための既に設定された中間温度に到達するように、前記冷水供給源及び前記温水供給源から洗濯水を前記タブに給水する第１給水段階と、
前記第１給水段階以後に、前記水位感知部によって水位が測定されながら、前記温水供給源から既に設定された水位にまで洗濯水を給水する第２給水段階と、
前記第２給水段階以後に、前記水温感知部によって水温が測定されながら、既に設定された水温にまで前記タブ内の洗濯水を温めるように前記ヒータを駆動させる段階と、
前記選択された洗濯コースを行う段階と、を含んで構成される洗濯機の給水制御方法。
【請求項２】
前記ヒータは、前記洗濯コースが行われる間、駆動されないことを特徴とする請求項１に記載の洗濯機の給水制御方法。
【請求項３】
前記ヒータは、前記第２給水段階が完了すると、オフになることを特徴とする請求項１に記載の洗濯機の給水制御方法。
【請求項４】
前記既に設定された中間温度は、前記選択された洗濯コースによって設定されることを特徴とする請求項１に記載の洗濯機の給水制御方法。
【請求項５】
前記温水供給源から給水される温水は、前記既に設定された中間温度より温度が高いことを特徴とする請求項１に記載の洗濯機の給水制御方法。
【請求項６】
前記温水供給源から給水される温水は、前記既に設定された水温より温度が低いことを特徴とする請求項１に記載の洗濯機の給水制御方法。
【請求項７】
前記第１給水段階で給水される洗濯水の量は、前記既に設定された水位以下であることを特徴とする請求項１に記載の洗濯機の給水制御方法。
【請求項８】
前記第２給水段階では、前記冷水供給源から洗濯水が給水されないことを特徴とする請求項１に記載の洗濯機の給水制御方法。
【請求項９】
前記中間温度に到達したとき、前記冷水供給源からの給水がオフになることを特徴とする請求項１に記載の洗濯機の給水制御方法。
【請求項１０】
冷水供給源、温水供給源、水位感知部、水温感知部、及びヒータが連結されたタブと、
洗剤を溶解させるための既に設定された中間温度に到達するように、前記冷水供給源及び前記温水供給源から洗濯水を給水する第１給水を行い、前記水位感知部を通して水位が感知されながら、前記タブ内の洗濯水の水位が既に設定された水位に到達するように、前記第１給水以後に前記温水供給源から洗濯水を給水する第２給水を行い、前記水温感知部を通して水温が感知されながら、前記タブ内の洗濯水の水温が既に設定された水温に到達するように前記ヒータを駆動させるために各制御信号を出力する制御部と、を含む洗濯機。
【請求項１１】
使用者が洗濯コースを選択し、前記既に設定された水温をセッティングするように使用者命令を入力するとともに、布量を感知し、前記既に設定された水位をセッティングするように作動命令を入力するためのキー入力部をさらに含む請求項１０に記載の洗濯機。
【発明の詳細な説明】
【技術分野】
【０００１】
本発明は、洗濯機に関するもので、特に、ヒータが装着された全自動洗濯機において、多段階の給水制御を通してヒータを選択的に駆動させることで、洗濯力の強化及び電力消耗の減少などを達成できる洗濯機の給水制御装置及び方法に関するものである。
【背景技術】
【０００２】
一般的に、全自動洗濯機は、既に設定されたプログラムに基づいて給水、洗濯、濯ぎ及び脱水行程が順次行われ、洗濯物が洗濯される構成となっている。
【０００３】
上記のような洗濯機は、洗濯に必要な洗濯水が水道管から直接供給されるので、洗濯水の低い温度によって洗剤が円滑に希釈されないだけでなく、垢などがくっ付いた洗濯物がきれいに洗濯されない。そのため、最近は、洗濯槽の下部にヒータを設置することで、洗濯物の洗濯及び濯ぎ時、ヒータから発生する熱を用いて洗濯水を所定温度に加熱するので、洗剤を完全に希釈できるとともに、洗濯物をきれいに洗濯できるようになった。
【０００４】
したがって、上記のようなヒータが装着された洗濯機は、冬季に冷水が洗濯槽の内部に流入するときも、前記ヒータの作動によって冷水が洗濯に適した温度に加熱されるので、別途に温水が排出される水道栓と連結する必要がない。
【０００５】
上記のようなヒータが装着された洗濯槽に関する従来の技術内容は、本発明の出願人によって出願公開された特許文献１などに詳しく記載されている。
【０００６】
【特許文献１】大韓民国公開特許公報１０−２００３−００５５９７３号
【発明の開示】
【発明が解決しようとする課題】
【０００７】
しかしながら、従来のヒータが装着された洗濯機は、使用者が選択したコースによって設定された水温で給水が行われるように、ヒータを初期から継続的に駆動させるので、電力消耗が多くなるという問題点があった。
【０００８】
本発明は、上記のような従来の問題点を解決するためのもので、その目的は、給水行程を多段階にすることで、電力消耗を最小化することにある。
【０００９】
本発明の他の目的は、洗剤を円滑に溶解できる程度の水温を得ることで、洗濯効果を良好に維持することにある。
【００１０】
本発明の更に他の目的は、最小限のヒータ電流を用いて既に設定された水温を維持するために、ヒータを選択的に制御可能な制御方法及び装置を提供することにある。
【課題を解決するための手段】
【００１１】
上記のような目的を達成するための本発明に係る洗濯機の給水制御装置は、冷水供給源、温水供給源、水位感知部、水温感知部及びヒータと連結されたタブを備えた洗濯機において、使用者要求命令及び所望の洗濯コースを選択するためのキー入力部と、前記キー入力部を通して選択したコースにしたがって該当の行程が行われるように制御し、使用者が選択したコースによって設定される水温で給水が行われるように多段階給水及び前記ヒータの選択的な駆動を制御する制御部と、前記制御部の制御信号によって前記ヒータの駆動を制御する負荷駆動部と、を含んで構成されることを特徴とする。
【００１２】
前記制御部は、前記キー入力部を通して選択されたコースによって設定される水温、及び布量感知によって設定される水位にしたがって第１給水及び第２給水が順次行われるように制御する。前記第１給水では、洗剤を溶解させるための既に設定された中間温度に到達するように冷水供給源及び温水供給源から給水する。そして、第２給水では、水位感知部によって水位が感知されながら、既に設定された水位にまで温水供給源から給水する。そして、第２給水段階以後に、水温感知部によって水温が感知されながら、既に設定された水温にまでタブ内の水を温めるようにヒータが駆動制御される。
【００１３】
上記のような目的を達成するための本発明に係る洗濯機の給水制御方法は、冷水供給源、温水供給源、水位感知部、水温感知部及びヒータと連結されたタブを備えた洗濯機の給水制御方法において、洗濯コースを選択し、既に設定された水温をセッティングする段階と、布量を感知し、既に設定された水位をセッティングする段階と、前記選択されたコースによって設定された水温に近くなるように多段階に分けて給水し、前記ヒータの駆動を制御する段階と、前記給水が完了すると、選択されたコースにしたがって該当の行程を行う段階と、を含んで構成されることを特徴とする。
【００１４】
前記多段階に分けて給水し、前記ヒータの駆動を制御する段階は、洗剤を溶解させるための既に設定された中間温度に到達するように、冷水及び温水を給水する第１給水段階と、前記第１給水段階以後に、水位感知部によって水位が感知されながら、既に設定された水位にまで温水のみを給水する第２給水段階と、前記既に設定された水位までの給水が完了した後、水温感知部によって水温が感知されながら、既に設定された水温にまでタブ内の洗濯水を温めるように前記ヒータを駆動させる段階と、から構成されることを特徴とする。
【発明の効果】
【００１５】
本発明に係る洗濯機の給水制御装置及び方法には、次のような効果がある。
【００１６】
第一に、多段階の給水を通して、１次給水時に少量の水で洗剤濃度を高めることで、洗濯力を強化できる。
【００１７】
第二に、２次給水時に温水のみを給水することで、選択したコースによって設定される水温に近くなるように給水し、ヒータを選択的に駆動することができる。
【００１８】
第三に、ヒータを選択的に駆動することで、電力消費を減少できる。
【発明を実施するための最良の形態】
【００１９】
以下、本発明に係る洗濯機の給水制御装置及び方法を、添付の図面に基づいて説明する。
【００２０】
本発明に係る洗濯機は、図１に示すように、使用者要求命令及び所望の洗濯コースを選択するためのキー入力部１００と、タブ内の洗濯水の要求される水位を感知するための水位感知部２０１と、タブ内の洗濯水の要求される水温を感知するための水温感知部２０２と、を含む。前記要求される水位は、タブ内の布量によって変わり、前記要求される水温は、洗濯コースを選択するときにセッティングされる。そして、前記キー入力部１００を通して選択したコースにしたがって該当の行程が行われるように制御し、使用者が選択したコースによって設定される水温で給水が行われるように多段階の給水及び前記ヒータの選択的な駆動を制御する制御部３００と、前記制御部３００の制御信号によって前記ヒータ６００及びモータ７００の駆動を制御する負荷駆動部５００と、前記制御部３００の制御信号によって動作状態を表示するためのディスプレイ部８００と、各種の基準値を保存するためのメモリ４００と、を含む。
【００２１】
以下、上記のように構成された洗濯機の給水制御装置の動作を説明する。
【００２２】
前記キー入力部１００を通して使用者が所望の洗濯コースを選択し、動作命令を入力すると、前記制御部３００は、前記選択されたコースにしたがって行程が行われるように制御命令を出力する。
【００２３】
このとき、前記制御部３００は、布量感知を先に行い、感知された布量によって水位が設定され、前記選択されたコースによって設定される水温で給水が行われるように制御する。
【００２４】
前記制御部３００の制御信号によって、既に設定された量の洗剤が完全に溶解できる程度の高い温度である既に設定された中間温度になるまで１次給水を行う。このとき、冷水及び温水が同時に給水され、例えば、前記設定された中間温度が約３２℃であると仮定したとき、前記水温感知部２０２を通して感知される水温が中間温度として感知されると、１次給水を終了する。
【００２５】
次いで、前記１次給水が終了すると、冷水給水を停止させ、前記布量感知によって設定された水位にまで温水のみを給水する。次いで、前記設定された水位までの給水が完了した後、感知される水温が前記選択されたコースによって設定された水温に到達していない場合、前記ヒータ６００の駆動によって該当の水温に到達させる。
【００２６】
すなわち、２段階の給水を通して、１次給水時に少量の水で洗剤濃度を高めて１次的に汚染物質を除去し、２次給水時に温水のみを給水することで、前記ヒータ６００の駆動時間が減少するので、電力消耗を減少することができる。
【００２７】
したがって、図２に示すように、１次給水区間（Ａ）では、タブ内の洗濯水が中間温度に到達するように冷水及び温水を同時に給水し、２次給水区間（Ｂ）では、温水のみを給水する。その後、水温によって前記ヒータ６００を選択的に駆動させ、既に設定された水温に到達させる。ここで、第１給水は、温水供給源の温度、時間当りの給水量などによって制御される。設定された水温に到達すると、洗濯行程区間（Ｃ）では、前記ヒータ６００を駆動させない状態で該当の行程を行う。
【００２８】
以下、上記のように構成された本発明に係る洗濯機の給水制御方法を、図３に基づいて説明する。まず、使用者は、所望の選択コースを選択する（Ｓ１０１）。このとき、前記選択された洗濯コースによって該当の水温がデフォルト値として設定される。
【００２９】
その後、使用者は、動作命令を入力し（Ｓ１０２）、１次給水を行う（Ｓ１０３）。このとき、冷水及び温水が同時に給水される。
【００３０】
第１給水が行われる間、制御部３００は、既に設定された第１設定水温に到達したかどうかを判断する（Ｓ１０４）。
【００３１】
前記判断結果（Ｓ１０４）、前記既に設定された第１設定水温に到達した場合、２次給水を行う（Ｓ１０５）。この２次給水時には、温水のみが給水される。
【００３２】
その後、第２給水が行われる間、水位感知部２０１を通して、布量によって設定された水位にまで給水されたかどうかを判断する（Ｓ１０６）。
【００３３】
次いで、前記判断結果（Ｓ１０６）、前記設定された水位にまで給水された場合、ヒータ６００を駆動させながら（Ｓ１０８）、水温センサ２０２を通して前記選択されたコースによって設定された温度に到達したかどうかを判断する（Ｓ１０７）。
【００３４】
前記判断結果（Ｓ１０７）、前記設定温度に到達した場合、負荷駆動部５００を制御してヒータの駆動を停止させ、選択されたコースにしたがって該当の行程を行う（Ｓ１０９〜Ｓ１１０）。
【００３５】
次いで、全ての行程が完了した後、洗濯機の動作を終了する（Ｓ１１１）。
【００３６】
上述したように、本発明に係る洗濯機の給水制御装置及び方法は、使用者が所望の洗濯コースを選択するとき、選択されたコースによって設定される水温で給水が行われるように、給水段階を２段階に分けて給水すると同時に、冷水及び温水を適切に投入する。その結果、温度によってヒータを選択的に駆動することができる。
【図面の簡単な説明】
【００３７】
【図１】本発明に係る洗濯機の給水制御装置を示したブロック図である。
【図２】本発明に係る洗濯機の給水過程を示したグラフである。
【図３】本発明に係る洗濯機の給水制御方法を示したフローチャートである。
【符号の説明】
【００３８】
１００    キー入力部
２０１    水位感知部
２０２    水温感知部
３００    制御部
４００    メモリ
５００    負荷駆動部
６００    ヒータ
７００    モータ
８００    ディスプレイ部
【図１】
2008505686.tif 000003
【図２】
2008505686.tif 000004
【図３】
2008505686.tif 000005
【国際調査報告】
2008505686.tif 000006
2008505686.tif 000007
2008505686.tif 000008